(57)【要約】【課題】建築物の屋外に設置する研ぎ出し流しと支柱を提供する。【解決の手段】長方形箱体の上部手前３方向に、水の跳ね止めを防ぐ跳ね止めリブ（１ｂ）と下部に流し台の底部を支える補強フランジ（４）と補強リブ（４ａ）及び枠リブ（４ｂ）を設け、その補強フランジに丸形筒体の支柱（６）を差し込み、さらにその支柱（６）に定着フランジ（６ｂ）と固定フランジ（６ｃ）を差し込み固定する。次に、底部裏面に補強フランジ（４）と補強リブ（４ａ）及び枠リブ（４ｂ）を設けた長方形の受台（３）に、丸形筒体の支柱（６）を差し込み、さらにその支柱（６）の下部に定着フランジ（６ｂ）と固定フランジ（６ｃ）を差し込み固定することを特徴とする。【選択図】  図１
2004237063.tif 000002
【特許請求の範囲】
【請求項１】
長方形箱体の上部手前３方向に、水の跳ねを防ぐ跳ね止めリブ（１ｂ）と下部に流し台の底部を支える補強フランジ（４）と補強リブ（４ａ）及び枠リブ（４ｂ）を設け、その補強フランジ（４）に丸形筒体の支柱（６）を差し込み、さらにその支柱（６）に定着フランジ（６ｂ）と固定フランジ（６ｃ）を差し込み固定する研ぎ出し流し。
【請求項２】
底部裏面に補強フランジ（４）と補強リブ（４ａ）及び枠リブ（４ｂ）を設けた長方形の受台（３）に、丸形筒体の支柱（６）を差し込み、さらにその支柱（６）の下部に定着フランジ（６ｂ）と固定フランジ（６ｃ）を差し込み固定する研ぎ出し流しの受台付き支柱。
【発明の詳細な説明】
【０００１】
【発明の属する技術分野】
この発明は、建築物の屋外に設置する研ぎ出し流しと支柱に関するものである。
【０００２】
【従来の技術】
従来の研ぎ出し流しの設置は、流し台の下部両端にコンクリートブロック等に２段積で設置のため流し台の高さが自由にできない、さらに足先がブロックに当った。
【０００３】
【発明が解決しようとする課題】
これは次のような欠点があった。
イ．研ぎ出し流しの水槽に水を溜めて洗い物をすると水が手前に跳ね返ってくる。
ロ．研ぎ出し流しの支えがコンクリートブロックの２段積のため流し台の高さが自由に設定できない。
ハ．研ぎ出し流しの支えがコンクリートブロックのため足先がそのブロックに当った。
ニ．研ぎ出し流しの支えがコンクリートブロックのため床・壁・ブロック等の清掃が遣り悪い。
ホ．研ぎ出し流し排水管及びブロックの施工精度が悪いと、見た目が悪い。
本発明は、これらの欠点を解決するためになされたものである。
【０００４】
【課題を解決するための手段】
長方形箱体の上部手前３方向に、水の跳ねを防ぐ跳ね止めリブ（１ｂ）と下部に流し台の底部を支える補強フランジ（４）と補強リブ（４ａ）及び枠リブ（４ｂ）を設け、その補強フランジ（４）に丸形筒体の支柱（６）を差込み、さらにその支柱（６）に定着フランジ（６ｂ）と固定フランジ（６ｃ）を差し込み固定する。
次に、底部裏面に補強フランジ（４）と補強リブ（４ａ）及び枠リブ（４ｂ）を設けた長方形の受台（３）に、丸形筒体の支柱（６）を差し込み、さらにその支柱（６）の下部に定着フランジ（６ｂ）と固定フランジ（６ｃ）を差し込み固定する。
本発明は、以上のような構成よりなる支柱付き研ぎ出し流しと受台付き支柱である。
【０００５】
【発明の実施の形態】
以下、本発明の実施の形態について説明する。
（イ）プラスチックを主材とし、図１・図２で示す長方形箱体の研ぎ出し流し（１）に、図１・図４で示す丸形筒体の支柱（６）を固定した流し台と、図７で示す市販の研ぎ出し流し（２）を支える、図５・図６で示す受台（３）と支柱（６）を固定したものである。
（ロ）研ぎ出し流し（１）は、図１・図２・図３で示す水槽上部の手前３方向に水の跳ね止めリブ（１ｂ）と底部裏面の４方向に枠リブ（４ｂ）と補強フランジ（４）からなる放射状の補強リブ（４ａ）を設け、その補強フランジ（４）の中を丸形の排水口（１ｄ）と支柱（６）が差し込まれる差し込み受部（４ｅ）を設け、さらに支柱（６）を固定する数ヶ所のビス穴（４ｃ）を設ける。
（ハ）支柱（６）は、図４で示す上部に補強フランジ（４）に差し込み固定するための差し込み部（６ａ）と、下部より差し込み固定する定着フランジ（６ｂ）と固定フランジ（６ｃ）を設ける。
（ニ）受台（３）は、図５・図６・図７で示す丸形の排水口（３ａ）を設け、その表面は平坦とし裏面の４方向に枠リブ（４ｂ）と補強フランジ（４）からなる放射状の補強リブ（４ａ）を設け、その補強フランジ（４）に支柱（６）が差し込まれる差し込み受部（４ｅ）を設け、さらに支柱（６）を固定する数ヶ所のビス穴（４ｃ）を設ける。
本発明は以上の構成よりなっている。
本発明を使用するときの使用概要を説明する。
（ホ）支柱（６）下部に設けた定着フランジ（６ｂ）は流し台を支える支柱（６）がコンクリート（８）の中で強固な定着が得られるため設け、さらに固定フランジ（６ｃ）は支柱（６）の仮固定時の沈下及び取り付け作業が簡単にできるために設け、それぞれを支柱（６）下部より指定された高さの位置に挿入し接着剤（５）で固定する。
次に、排水管（７）の地中埋設部に指定された高さまで砂利（１０）を埋めその砂利（１０）を大ハンマー等で蛸突き地業し、支柱（６）を排水管（７）に挿入し、その支柱（６）の垂直を確認し砂利（１０）とモルタル（９）で仮固定する。
（ヘ）上記の砂利（１０）は支柱（６）内の結露又は研ぎ出し流し（１）の排水栓のゴムパッキンの劣化又は締め付けのゆるみによる漏水の水を地下に浸透させるためのものである、さらに寒冷地において上記の水が支柱（６）の中での凍結を防ぐ、さらに支柱（６）廻りの地盤の凍結も防ぐための砂利（１０）である。
（ト）仮固定された支柱（６）は建築工事又は設備工事によりコンクリート（８）で本固定される、次に研き出し流し（１）又は市販の研ぎ出し流し（２）が建築物等に接近設置の場合は、その工作物の完了後流し台と支柱（６）を図４・図８で示す排水栓の接続を確認し接着剤（５）とビス（４ｄ）を併用し固定し完了となる。
（チ）市販の研ぎ出し流し（２）も、上記（ホ）・（ヘ）同様概要で支柱（６）を設置し、支柱（６）と受台（３）を図７で示す接着剤（５）とビス（４ｄ）を併用し固定する。次に受台（３）と市販の研ぎ出し流し（２）の固定は、受台（３）の手前３方向の端部と流し台の底部の取り合え部をコーキングで固定し完了となる。
【０００６】
【発明の効果】
以上、本発明を使用することによる効果を説明する。
（イ）研ぎ出し流しの高さが、この支柱を使用すると自由にできる。
（ロ）工事が簡単なため労務費が安くなる。
（ハ）研ぎ出し流しの支柱が奥に１本のため足先が当らない。
（ニ）研ぎ出し流しの水槽上部に跳ね止めリブを設けたことにより水を溜めて洗い物をしても体に水が跳ねない、さらにその跳ね止めリブに物が当っても、そのリブの損傷が少ない、又そのリブが水槽の補強も兼ねる。
（ホ）研ぎ出し流し廻りの床・壁・支柱の清掃が簡単である。
（ヘ）研ぎ出し流の排水管が支柱の中に入るため、すっきりし見た目が良い。
（ト）市販の研ぎ出し流しにも、この受台付き支柱が使用できる。
【図面の簡単な説明】
【図１】本発明の斜視図
【図２】本発明の上視平面図
【図３】本発明の床視平面図
【図４】本発明のＡ−Ａ’の分解断面図
【図５】本発明の斜視図
【図６】本発明の底視平面図
【図７】本発明のＢ−Ｂ’の分解断面図
【図８】本発明の実施例を示す断面図
【符号の説明】
１    研ぎ出し流し
１ａ  給水柱の開口
１ｂ  跳ね止めリブ
１ｃ  排水栓
１ｄ  排水口
２    市販の研ぎ出し流し
３    受台
３ａ  排水口
４    補強フランジ
４ａ  補強リブ
４ｂ  枠リブ
４ｃ  ビス穴
４ｄ  ビス
４ｅ  差し込み受部
５    接着剤
６    支柱
６ａ  差し込み部
６ｂ  定着フランジ
６ｃ  固定フランジ
７    排水管
８    コンクリート
９    モルタル
１０  砂利
【図１】
2004237063.tif 000003
【図２】
2004237063.tif 000004
【図３】
2004237063.tif 000005
【図４】
2004237063.tif 000006
【図５】
2004237063.tif 000007
【図６】
2004237063.tif 000008
【図７】
2004237063.tif 000009
【図８】
2004237063.tif 000010